(57)【要約】【課題】捩りコイルバネの装着部が破損しにくい捩りコイルバネを用いた付勢構造を提供する。【解決手段】捩りコイルバネ１０と捩りコイルバネ１０により付勢される被付勢部材２０とが取り付けられる取付体３０に，捩りコイルバネ１０のコイル部１１を収納する筒状穴部３１を設けて筒状穴部３１の内壁面３２でコイル部１１を外方から支持し，取付体３０に，捩りコイルバネ１０の一端１２を掛ける掛け部３３を設けるとともに，捩りコイルバネ１０の他端１３を被付勢部材２０に掛けた。被付勢部材２０は画像形成装置におけるローラ２１の軸であり，ローラ２１と取付体３０と捩りコイルバネ１０とでローラユニット４０を構成した。捩りコイルバネ１０の一端１２を掛ける掛け部３３は筒状穴部３１に連通する溝穴で構成した。【選択図】図１
2006206230.tif 000002
【特許請求の範囲】
【請求項１】
捩りコイルバネとこの捩りコイルバネにより付勢される被付勢部材とが取り付けられる取付体に，前記捩りコイルバネのコイル部を収納する筒状穴部を設けて当該筒状穴部の内壁面で前記コイル部を外方から支持し，前記取付体に，前記捩りコイルバネの一端を掛ける掛け部を設けるとともに，前記捩りコイルバネの他端を前記被付勢部材に掛けたことを特徴とする捩りコイルバネを用いた付勢構造。
【請求項２】
前記被付勢部材が画像形成装置におけるローラの軸であり，当該ローラと前記取付体と前記捩りコイルバネとでローラユニットを構成したことを特徴とする請求項１記載の捩りコイルバネを用いた付勢構造。
【請求項３】
前記捩りコイルバネの一端を掛ける掛け部を，前記筒状穴部に連通する溝穴で構成したことを特徴とする請求項１または２記載の捩りコイルバネを用いた付勢構造。
【発明の詳細な説明】
【技術分野】
【０００１】
本発明は，捩りコイルバネを用いた付勢構造に関するものである。主として，プリンター、ファクシミリ、複写機等の画像形成装置におけるローラを付勢するのに適した，捩りコイルバネを用いた付勢構造に関するものである。
【背景技術】
【０００２】
従来，画像形成装置におけるローラは，引っ張りバネを用いて付勢されていた（特許文献１，図５参照）。
【特許文献１】特開平６−１６２７８号公報
【発明の開示】
【発明が解決しようとする課題】
【０００３】
上述した従来の付勢構造では，被付勢部材であるローラを引っ張りバネで付勢していたので，大きなスペースを必要とするという問題があった。
このような問題は，付勢部材として捩りコイルバネを用いることで解決できる。
しかしながら，従来，捩りコイルバネの支持構造は，捩りコイルバネのコイル部を装着軸に装着する，すなわち，当該コイル部に挿入される装着軸で支持する構造となっていたので，バネ力を大きくすると，前記装着軸が破損し易いという問題が生じていた。
本発明の目的は，上記問題を解決し，捩りコイルバネの装着部が破損しにくい捩りコイルバネを用いた付勢構造を提供することにある。
【課題を解決するための手段】
【０００４】
上記目的を達成するために本発明の捩りコイルバネを用いた付勢構造は，捩りコイルバネとこの捩りコイルバネにより付勢される被付勢部材とが取り付けられる取付体に，前記捩りコイルバネのコイル部を収納する筒状穴部を設けて当該筒状穴部の内壁面で前記コイル部を外方から支持し，前記取付体に，前記捩りコイルバネの一端を掛ける掛け部を設けるとともに，前記捩りコイルバネの他端を前記被付勢部材に掛けた構成とした。
このような構成によれば，捩りコイルバネのコイル部が取付体の筒状穴部に収納されて筒状穴部の内壁面で支持されるので，コイル部が内側から装着軸で支持される従来の構造に比べて，取付体の筒状穴部は破損しにくくなる。すなわち，従来の構造であると，コイル部の内側にある装着軸に力が集中するのに対し，この発明の構造によれば，コイル部の外側にある筒状穴部の内壁面で力が分散されてコイル部が支持されるので，捩りコイルバネのバネ力を大きくしても，筒状穴部が破損しにくくなる。
しかも，捩りコイルバネとこの捩りコイルバネにより付勢される被付勢部材とが取り付けられる取付体に，前記捩りコイルバネのコイル部を収納する筒状穴部を設けて当該筒状穴部の内壁面で前記コイル部を外方から支持し，かつ，前記取付体に，前記捩りコイルバネの一端を掛ける掛け部を設けるとともに，前記捩りコイルバネの他端を前記被付勢部材に掛けた構成としてあるので，力学系が前記取付体内において閉じた状態となる。
したがって，取付体自体も破損しにくくなる。
したがってまた，この発明の捩りコイルバネを用いた付勢構造は，前記被付勢部材が画像形成装置におけるローラの軸であり，当該ローラと前記取付体と前記捩りコイルバネとでローラユニットを構成した場合に，特に有効である。
望ましくは，前記捩りコイルバネの一端を掛ける掛け部は，前記筒状穴部に連通する溝穴で構成する。
このような構成とすれば，捩りコイルバネのコイル部を前記筒状穴部に入れる際に，同時に，捩りコイルバネの一端を溝穴に入れることができるので，捩りコイルバネの取付が容易になる。
【発明を実施するための最良の形態】
【０００５】
以下，本発明に係る捩りコイルバネを用いた付勢構造の実施の形態について図面を参照して説明する。
図１は，本発明に係る捩りコイルバネを用いた付勢構造の一実施の形態を示す図で，（ａ）は斜視図，（ｂ）は正面図，（ｃ）は部分省略左側面図，（ｄ）は部分省略右側面図である。
【０００６】
同図に示すように，この捩りコイルバネを用いた付勢構造は，捩りコイルバネ１０とこの捩りコイルバネ１０により付勢される被付勢部材２０とが取り付けられる取付体３０に，捩りコイルバネ１０のコイル部１１を収納する筒状穴部３１を設けて当該筒状穴部３１の内壁面３２でコイル部１１を外方から支持し，取付体３０に，捩りコイルバネ１０の一端１２を掛ける掛け部３３を設けるとともに，捩りコイルバネ１０の他端１３を前記被付勢部材２０に掛けた構造である。
【０００７】
被付勢部材２０は，画像形成装置（図示せず）におけるローラ２１の軸であり，当該ローラ２１と取付体３０と捩りコイルバネ１０とでローラユニット４０が構成されている。
ローラ２１の軸２０は，軸受け部材２２を介して前記捩りコイルバネ１０の他端１３で付勢される。
捩りコイルバネ１０の一端１２を掛ける掛け部３３は，前記筒状穴部３１に連通する溝穴で構成されている。
筒状穴部３１は，筒状部３４で形成されている。
【０００８】
以上のような捩りコイルバネを用いた付勢構造によれば，捩りコイルバネ１０のコイル部１１が取付体３０の筒状穴部３１に収納されて筒状穴部３１の内壁面３２で支持されるので，コイル部１１が内側から装着軸で支持される従来の構造に比べて，取付体３０の筒状穴部３１（この実施の形態では筒状部３４）は破損しにくくなる。
【０００９】
すなわち，図２（ａ）に示すように，捩りコイルバネのコイル部１１を装着軸１に装着する構造（コイル部１１に挿入される装着軸１で支持する構造）であると，捩りコイルバネ１０に作用する力Ｆ１がコイル部１１の内側にある装着軸１に力Ｆ２として集中する方向に作用するため，バネ力（Ｆ１）を大きくすると，装着軸１が破損し易い。
これに対し，この実施の形態の構造によれば，図２（ｂ）に示すように，コイル部１１の外側にある筒状穴部３１の内壁面３２で力が分散されて（分散された力をＦ３で示す）コイル部１１が支持されるので，捩りコイルバネのバネ力（Ｆ１）を大きくしても，筒状穴部３１（筒状部３４）が破損しにくくなる。
【００１０】
しかも，捩りコイルバネ１０とこの捩りコイルバネ１０により付勢される被付勢部材２０とが取り付けられる取付体３０に，捩りコイルバネ１０のコイル部１１を収納する筒状穴部３１を設けて当該筒状穴部３１の内壁面３２でコイル部１１を外方から支持し，かつ，取付体３０に，捩りコイルバネ１０の一端１２を掛ける掛け部３３を設けるとともに，捩りコイルバネ１０の他端１３を被付勢部材２０に掛けた構成としてあるので，力学系が取付体３０内において閉じた状態となる。
したがって，取付体３０自体も破損しにくくなる。
【００１１】
したがってまた，この実施の形態の捩りコイルバネを用いた付勢構造は，被付勢部材２０が画像形成装置におけるローラ２１の軸であり，当該ローラ２１と取付体３０と捩りコイルバネ１０とでローラユニット４０を構成した場合に，特に有効である。
また，捩りコイルバネ１０の一端１２を掛ける掛け部３３は，筒状穴部３１に連通する溝穴で構成してあるので，捩りコイルバネ１０のコイル部１１を筒状穴部３１に入れる際に，同時に，捩りコイルバネ１１の一端１２を溝穴３３に入れることができるので，捩りコイルバネ１０の取付が容易になる。
【００１２】
以上，本発明の実施の形態について説明したが，本発明は上記の実施の形態に限定されるものではなく，本発明の要旨の範囲内において適宜変形実施可能である。
【図面の簡単な説明】
【００１３】
【図１】本発明に係る捩りコイルバネを用いた付勢構造の一実施の形態を示す図で，（ａ）は斜視図，（ｂ）は正面図，（ｃ）は部分省略左側面図，（ｄ）は部分省略左側面図。
【図２】（ａ）（ｂ）は作用説明図。
【符号の説明】
【００１４】
１０：捩りコイルバネ，１１：コイル部，１２：一端，１３：他端，２０：ローラ軸（被付勢部材），２１：ローラ，３０：取付体，３１：筒状穴部，３２：内壁面，３３：掛け部，４０：ローラユニット。
【図１】
2006206230.tif 000003
【図２】
2006206230.tif 000004